(57)【要約】【課題】デッド・ロック・ポイントを有さず、補助巻き線無しで始動可能な単相ブラシレスモータに関する技術を提供する。【解決手段】本発明の一形態による単相ブラシレスモータは、複数の電磁コイル１１〜１４を有するコイル列と、複数の永久磁石３１〜３４を有する磁石列とを備える。コイル列は磁性部材２０を備えており、この磁性部材２０は、単相ブラシレスモータの停止時において磁性部材２０が磁石列に引きつけられることによって、逆誘起電圧のピーク位置で停止するように構成されている。【選択図】図２
2010045904.tif 000002
【特許請求の範囲】
【請求項１】
単相ブラシレスモータであって、
複数の電磁コイルを有するコイル列と、
複数の永久磁石を有する磁石列と、
を備え、
前記コイル列は磁性部材を備えており、
前記磁性部材は、
（ｉ）前記単相ブラシレスモータの停止時において前記磁性部材が前記磁石列に引きつけられることによって、各永久磁石と各電磁コイルとが、前記電磁コイルによる逆誘起電圧のピーク位置で停止するように構成されており、
（ｉｉ）前記電磁コイルよりも前記永久磁石に近接した位置に設けられたフロントティース部を有しており、前記単相ブラシレスモータの停止時において、前記フロントティース部と前記永久磁石とによって磁気回路が構成される、
単相ブラシレスモータ。
【発明の詳細な説明】
【技術分野】
【０００１】
この発明は、永久磁石と電磁コイルとを利用した単相ブラシレスモータに関する。
【背景技術】
【０００２】
モータ業界では、１相モータと２相モータの両方を総称して「単相モータ」と称していた。しかし、以下の説明において、「単相モータ」とは、２相モータを除き、１相モータのみを意味している。
【０００３】
永久磁石と電磁コイルとを利用したブラシレスモータとしては、例えば特開２００１−２９８９８２号公報に記載されたものが知られている。
【０００４】
この従来技術のブラシレスモータでは、デジタル磁気センサからのオン／オフ信号を用いて制御を行っている。具体的には、デジタル磁気センサのオン／オフ信号を用いて、電磁コイルへの印加電圧の極性反転のタイミングが決定されている。また、駆動信号としては、３相駆動信号が使用されている。
【０００５】
従来のブラシレスモータでは、２相以上の駆動信号が利用されており、単相の駆動信号を使用するものは存在しなかった。この理由は、以下で説明する単相モータの始動特性に関係している。
【０００６】
単相モータは、永久磁石とコイルとが正対する位置において停止すると、始動できないという特性がある。この位置は、「デッド・ロック・ポイント」又は「デッド・ポイント」と呼ばれている。このため、通常の単相モータでは、始動を確実に行うために補助巻き線を設けておき、始動時にのみ補助巻き線に電流を流して始動させる始動方法が採用されている。また、ある種の単相モータでは、主巻き線と補助巻き線の位相をずらすために、コンデンサが使用されている。
【０００７】
一方、通常のブラシレスモータでは、いわゆるインバータ駆動が採用されている。しかし、インバータ駆動を利用して単相モータを始動させると、始動時に補助巻き線やコンデンサに大きな電流が流れるので、スイッチング素子やコンデンサが破損し易いという問題が生じる。このように、従来は、単相モータをブラシレスモータとして構成することが困難であるという問題があった。
【発明の開示】
【発明が解決しようとする課題】
【０００８】
本発明は、デッド・ロック・ポイントを有さず、補助巻き線無しで始動可能な単相ブラシレスモータに関する技術を提供することを目的とする。
【課題を解決するための手段】
【０００９】
本発明は、上述の課題の少なくとも一部を解決するためになされたものであり、以下の形態又は適用例として実現することが可能である。
【００１０】
［適用例１］
単相ブラシレスモータであって、
複数の電磁コイルを有するコイル列と、
複数の永久磁石を有する磁石列と、
を備え、
前記コイル列は磁性部材を備えており、
前記磁性部材は、
（ｉ）前記単相ブラシレスモータの停止時において前記磁性部材が前記磁石列に引きつけられることによって、各永久磁石と各電磁コイルとが、前記電磁コイルによる逆誘起電圧のピーク位置で停止するように構成されており、
（ｉｉ）前記電磁コイルよりも前記永久磁石に近接した位置に設けられたフロントティース部を有しており、前記単相ブラシレスモータの停止時において、前記フロントティース部と前記永久磁石とによって磁気回路が構成される、
単相ブラシレスモータ。
この単相ブラシレスモータによれば、逆転時にもデッド・ロック・ポイントの問題を生じることなく、そのまま逆転させることが可能である。また、フロントティース部と永久磁石とによって磁気回路が構成されるので、これらの間の磁気結合によって、より正確な位置にモータを停止させることが可能である。
【００１１】
なお、本発明は、種々の形態で実現することが可能であり、例えば、単相ブラシレスモータ、その制御方法（又は駆動方法）制御回路（又は駆動回路）、それらを用いたアクチュエータや、電子機器、家電機器等の形態で実現することができる。
【発明を実施するための最良の形態】
【００１２】
図１Ａ，１Ｂは、本発明の一実施例としての単相ブラシレスモータのモータ本体の構成を示す断面図である。このモータ本体１００は、外形がそれぞれ略円筒状のステータ部１０及びロータ部３０を有している。ステータ部１０は、略十字状に配列された４つのコイル１１〜１４と、２つのコイル１１，１２の間の中央の位置に配置された磁気センサ４０とを有している。磁気センサ４０は、ロータ部３０の位置（すなわちモータの位相）を検出するためのものである。各コイル１１〜１４には、磁性体材料で形成された磁気ヨーク２０が設けられている。磁気ヨーク２０の形状についてはさらに後述する。コイル１１〜１４と磁気センサ４０は、回路基板１２０（図１Ｂ）の上に固定されている。回路基板１２０は、ケーシング１０２に固定されている。なお、ケーシング１０２の蓋は図示が省略されている。
【００１３】
ロータ部３０は、４つの永久磁石３１〜３４を有しており、ロータ部３０の中心軸が回転軸１１２を構成している。この回転軸１１２は、軸受け部１１４（図１Ｂ）で支持されている。各磁石の磁化方向は、回転軸１１２から外側に放射状に向かう方向である。磁石３１〜３４の外周には、磁気ヨーク３６が設けられている。但し、この磁気ヨーク３６は省略してもよい。
【００１４】
図２Ａ〜２Ｃは、磁石列とコイル列の位置関係、及び、磁気センサ出力とコイルの逆起電力波形との関係を示す説明図である。なお、「逆起電力」を「逆誘起電圧」又は「誘起電圧」とも呼ぶ。図２Ａに示すように、４つの磁石３１〜３４は、一定の磁極ピッチＰｍで配置されており、隣接する磁石同士が逆方向に磁化されている。また、コイル１１〜１４は、一定のピッチＰｃで配置されており、隣接するコイル同士が逆向きに励磁される。この例では、磁極ピッチＰｍはコイルピッチＰｃに等しく、電気角でπに相当する。なお、電気角の２πは、駆動信号の位相が２πだけ変化したときに移動する機械的な角度又は距離に対応づけられる。本実施例では、駆動信号の位相が２πだけ変化すると、ロータ部３０が磁極ピッチＰｍの２倍だけ移動する。
【００１５】
４つのコイル１１〜１４のうち、第１、第３のコイル１１，１３は同一の位相の駆動信号で駆動され、第２、第４のコイル１２，１４は第１及び第３のコイル１１，１３の駆動信号から１８０度（＝π）だけ位相がずれた駆動信号で駆動される。通常の二相駆動は２つの相（Ａ相とＢ相）の駆動信号の位相が９０度（＝π／２）ずれており、位相のずれが１８０度（＝π）の場合は無い。また、モータの駆動方法において、位相が１８０度（＝π）ずれた２つの駆動信号は、同じ位相であると見なされる場合が多い。従って、本実施例のモータにおける駆動方法は、単相駆動であると考えることができる。
【００１６】
図２Ａは、モータ停止時における磁石３１〜３４とコイル１１〜１４の位置関係を示している。本実施例のモータでは、各コイル１１〜１４に磁気ヨーク２０が設けられている。図２Ａの右端に示すように、磁気ヨーク２０は、コア部２２と、フロントティース部２４とを有している。フロントティース部２４は、コア部２２から左右対称に形成されている。なお、左右方向は、ロータ３０の移動方向を意味している。フロントティース部２４は、コア部２２よりも磁石３１〜３４に近接した位置に設けられている。この結果、フロントティース部２４が磁石３１〜３４に引きつけられることによって、図２Ａに示す位置でモータが停止する。
【００１７】
図２Ａには、さらに、ティース部２４と磁石２１〜３４を貫通するいくつかの磁束線ＭＦが描かれている。モータ停止時には、磁束線ＭＦは、第１の磁石のＮ極を出発点として、１つの磁気ヨーク２０の左右のフロントティース部２４を経由し、第２の磁石のＳ極に到達する。換言すれば、フロントティース部２４は、モータ停止時において、２つの磁石と磁気ヨーク２０の間で構成される磁気回路を閉じる機能を有している。
【００１８】
モータ停止時には、各コイルの磁気ヨーク２０のフロントティース部２４が磁石３１〜３４によって引きつけられ、各コイルの中心が各磁石３１〜３４同士の境界に来る位置においてロータ部３０が停止する。この結果、各コイル１１〜１４の中心が、隣接する磁石同士の中間に来た状態でモータが停止することになる。また、この時、磁気センサ４０は、磁石３１〜３４のいずれかに対向する位置にある。この停止位置における位相は、一般に（ｎ＋１／２）πである（ｎは任意の整数）。
【００１９】
図２Ｂは、コイルに発生する逆起電力の波形の例を示しており、図２Ｃは、磁気センサ４０の出力波形の例を示している。磁気センサ４０は、モータ運転時のコイルの逆起電力とほぼ相似形状のセンサ出力ＳＳＡを発生することができる。但し、磁気センサ４０の出力ＳＳＡは、モータの停止時にはそのピーク値を示す。なお、コイルの逆起電力は、モータの回転数とともに上昇する傾向にあるが、波形形状（正弦波）はほぼ相似形状に保たれる。磁気センサ４０としては、例えばホール効果を利用したホールＩＣを採用することができる。この例では、センサ出力ＳＳＡと逆起電力Ｅｃは、いずれも正弦波か、正弦波に近い波形である。モータの駆動制御回路は、センサ出力ＳＳＡを利用して、逆起電力Ｅｃとほぼ相似波形の電圧を各コイル１１〜１４に印加することによって、モータを動作させることが可能である。
【００２０】
以上のように、本実施例のモータでは、位相が（ｎ＋１／２）πの位置（ここでｎは整数）でモータが停止するので、デッド・ロック・ポイントが発生しない。従って、始動コイルを必要とせずに、常に始動することが可能である。特に、モータ停止位置では、逆誘起電圧がピーク値を示すので、最も大きな始動トルクが得られるという利点がある。また、本実施例のモータでは、停止状態から正転動作と逆転動作の両方を容易に実現することが可能である。さらに、本実施例では、磁気ヨーク２０のフロントティース部２４が左右対称に設けられているので、バランスが良く、振動の少ないモータを実現可能である。
【００２１】
変形例：
なお、この発明は上記の実施例や実施形態に限られるものではなく、その要旨を逸脱しない範囲において種々の態様において実施することが可能であり、例えば次のような変形も可能である。
【００２２】
上記実施例では、磁石数とコイル数をそれぞれ４としていたが、本発明は任意の磁石数及びコイル数のモータに適用可能である。
【００２３】
上記実施例では、モータを駆動する駆動回路の構成の説明は省略したが、本発明では周知の種々の駆動回路を適用可能である。なお、典型的な駆動回路は、磁気センサの出力を利用して、電磁コイルに駆動電圧を印加する回路である。
【００２４】
上記実施例では、磁性部材（磁気ヨーク２０）が各コイル毎に設けられていたが、コイル数と異なる数の磁性部材をコイル列に設けるようにしてもよい。この場合にも、磁性部材は、単相ブラシレスモータの停止時において磁性部材が磁石列に引きつけられることによって、逆誘起電圧のピーク位置で停止するように構成されることが好ましい。但し、各コイル毎に磁性部材を設けるようにすれば、磁石列全体の重量バランスを取り易いという利点がある。
【００２５】
本発明は、ファンモータ、時計（針駆動）、ドラム式洗濯機（単一回転）、ジェットコースタ、振動モータなどの種々の装置のモータに適用可能である。本発明をファンモータに適用した場合には、上述した種々の効果（低消費電力、低振動、低騒音、低回転ムラ、低発熱、高寿命）が特に顕著である。このようなファンモータは、例えば、デジタル表示装置や、車載機器、燃料電池式パソコン、燃料電池式デジタルカメラ、燃料電池式ビデオカメラ、燃料電池式携帯電話などの燃料電池使用機器、プロジェクタ等の各種装置のファンモータとして使用することができる。本発明のモータは、さらに、各種の家電機器や電子機器のモータとしても利用可能である。例えば、光記憶装置や、磁気記憶装置、ポリゴンミラー駆動装置等において、本発明によるモータをスピンドルモータとして使用することが可能である。
【図面の簡単な説明】
【００２６】
【図１】第１実施例における電動モータのモータ本体の構成を示す断面図である。
【図２】磁石列とコイル列の位置関係、及び、磁気センサ出力とコイルの逆起電力波形との関係を示す説明図である。
【符号の説明】
【００２７】
１０…ステータ部
１１〜１４…電磁コイル
２０…磁気ヨーク（磁性部材）
２２…コア部
２４…フロントティース部
３０…ロータ部
３１〜３４…永久磁石
３６…磁気ヨーク（永久磁石用）
４０…磁気センサ
１００…モータ本体
１０２…ケーシング
１１２…回転軸
１１４…軸受け部
１２０…回路基板
【図１】
2010045904.tif 000003
【図２】
2010045904.tif 000004